(57)【要約】【課題】ロール状のラップフィルムを巻き出すことで使用後の遮蔽面を更新できるため、飛沫吸引のリスクが小さく、遮蔽面の清掃が不要な飛沫防止パーティションを提供すること。【解決手段】本考案の飛沫防止パーティション１は、内部にロール状のラップフィルムＡの収納空間１１ａを有する長尺状の基台１０と、基台１０から上方に立設する２本のポール２０と、２本のポール２０の上部を連結する上枠３０と、を備え、収納空間１１ａ内に配置したラップフィルムＡの延出端Ａ２を上枠３０に固定することで、基台１０と上枠３０の間にラップフィルムＡからなる遮蔽面Ｘを構成することを特徴とする。【選択図】図１
0003232846.tif 000002
【実用新案登録請求の範囲】
【請求項１】
内部にロール状のラップフィルムの収納空間を有する長尺状の基台と、
前記基台から上方に立設する２本のポールと、
前記２本のポールの上部を連結する上枠と、を備え、
前記収納空間内に配置した前記ラップフィルムの延出端を前記上枠に固定することで、前記基台と前記上枠の間に前記ラップフィルムからなる遮蔽面を構成することを特徴とする、
飛沫防止パーティション。
【請求項２】
前記上枠が、長尺状の受け台と、前記受け台の長手方向に沿って延在する長尺状の固定竿と、を備え、前記受け台と前記固定竿によって、前記ラップフィルムの延出端を挟持して固定することを特徴とする、請求項１に記載の飛沫防止パーティション。
【請求項３】
前記受け台が断面略Ｕ形の受け溝を有するチャンネル材であって、前記受け台と、前記受け溝内に配置した前記固定竿によって、前記ラップフィルムの延出端を挟持して固定することを特徴とする、請求項２に記載の飛沫防止パーティション。
【請求項４】
前記受け台及び／又は前記固定竿が、磁性部材を備え、前記受け台及び前記固定竿によって前記ラップフィルムの延出端を挟んで磁着することで、前記延出端を前記上枠に固体することを特徴とする、請求項２又は３に記載の飛沫防止パーティション。
【請求項５】
前記ポールが、複数の分割ポールからなるテレスコピック構造により伸縮自在であることを特徴とする、請求項１乃至４のいずれか一項に記載の飛沫防止パーティション。
【請求項６】
前記基台又は前記上枠に、前記ラップフィルムを切断するためのフィルムカッタを設けたことを特徴とする、請求項１乃至５のいずれか一項に記載の飛沫防止パーティション。
【請求項７】
前記基台が、開口を有する長尺状の収納ケースと、前記開口を覆う長尺状のケース蓋と、を備え、前記フィルムカッタを前記収納ケースの開口又は前記ケース蓋に沿って設けたことを特徴とする、請求項６に記載の飛沫防止パーティション。
【請求項８】
前記フィルムカッタを前記上枠に沿って設けたことを特徴とする、請求項６に記載の飛沫防止パーティション。
【考案の詳細な説明】
【技術分野】
【０００１】
本考案は飛沫防止パーティションに関し、特に、ロール状のラップフィルムを引き出すことで使用後の遮蔽面を更新できるため、飛沫吸引のリスクが小さく、遮蔽面の清掃が不要な飛沫防止パーティションに関する。
【背景技術】
【０００２】
近年の武漢ウィルスの世界的蔓延に伴い、事業所や飲食店では各種の感染対策が講じられている。この内、飛沫感染の対策手段として、テーブルやカウンターに設置することで、会話や咳によって口腔から飛散する飛沫を遮る、飛沫防止パーティションが普及している。
特許文献１及び２には、透明なアクリル樹脂やＰＥＴ樹脂からなる飛沫防止パーティションが開示されている。
【先行技術文献】
【特許文献】
【０００３】
【特許文献１】実用新案登録第３２３０８４３号公報
【特許文献２】実用新案登録第３２２８２２６号公報
【考案の概要】
【考案が解決しようとする課題】
【０００４】
従来技術の飛沫防止パーティションは、遮蔽面が支持部材上に固定されているため、口腔から飛散した飛沫が遮蔽面に付着し、これを吸引した利用者がウィルスに感染するおそれがある。
感染を防ぐためには定期的に遮蔽面を清掃する必要があるが、飲食店等の多数の客を迎える店舗では、客の入れ替わり毎に遮蔽面に殺菌剤を噴霧してウェットティッシュ等で拭き取る必要があり、特に客の回転が早い軽食店やファストフード店では、この消毒作業が、限られた営業時間の浪費になると共に、従業員の大きな作業負担となっている。
【０００５】
本考案の目的は、以上のような問題点を解決できる飛沫防止パーティションを提供することにある。
【課題を解決するための手段】
【０００６】
本考案の飛沫防止パーティションは、内部にロール状のラップフィルムの収納空間を有する長尺状の基台と、基台から上方に立設する２本のポールと、２本のポールの上部を連結する上枠と、を備え、収納空間内に配置したラップフィルムの延出端を上枠に固定することで、基台と上枠の間にラップフィルムからなる遮蔽面を構成することを特徴とする。
【０００７】
本考案の飛沫防止パーティションは、上枠が、長尺状の受け台と、受け台の長手方向に沿って延在する長尺状の固定竿と、を備え、受け台と固定竿によって、ラップフィルムの延出端を挟持して固定してもよい。
【０００８】
本考案の飛沫防止パーティションは、受け台が断面略Ｕ形の受け溝を有するチャンネル材であって、受け台と、受け溝内に配置した固定竿によって、ラップフィルムの延出端を挟持して固定してもよい。
【０００９】
本考案の飛沫防止パーティションは、受け台及び／又は固定竿が、磁性部材を備え、受け台及び固定竿によってラップフィルムの延出端を挟んで磁着することで、延出端を上枠に固体してもよい。
【００１０】
本考案の飛沫防止パーティションは、ポールが、複数の分割ポールからなるテレスコピック構造により伸縮自在であってもよい。
【００１１】
本考案の飛沫防止パーティションは、基台又は上枠に、ラップフィルムを切断するためのフィルムカッタを設けてもよい。
【００１２】
本考案の飛沫防止パーティションは、基台が、開口を有する長尺状の収納ケースと、開口を覆う長尺状のケース蓋と、を備え、フィルムカッタを収納ケースの開口又はケース蓋に沿って設けてもよい。
【００１３】
本考案の飛沫防止パーティションは、フィルムカッタを上枠に沿って設けてもよい。
【考案の効果】
【００１４】
本考案の飛沫防止パーティションは、収納空間内に配置したロール状のラップフィルムによって遮蔽面を構成するため、使用後にラップフィルムを引き出して、使用済みの部分を切り取って廃棄することができる。
このため、遮蔽面に付着した飛沫を拭き取ることなく排除できるため、飛沫吸引のリスクが小さい。
また、特に多数の客を迎える飲食店等において、客の入れ替わり毎に遮蔽面を拭き取る必要がないため、客の回転率の向上に資すると共に、従業員の作業負担を低減することができる。
【図面の簡単な説明】
【００１５】
【図１】本考案の飛沫防止パーティションの説明図。
【図２】基台の説明図。
【図３】ポールの説明図。
【図４】上枠の説明図。
【図５】フィルムカッタの説明図。
【図６】本考案の飛沫防止パーティションの説明図。
【考案を実施するための形態】
【００１６】
以下、図面を参照しながら本考案の飛沫防止パーティションについて詳細に説明する。なお、本発明において「上」「下」「横」「前」「後」等の方向性の用語は、飛沫防止パーティションを正面に立設した状態、すなわち図１の状態における各方向を意味する。
【実施例１】
【００１７】
[飛沫防止パーティション]
＜１＞全体の構成（図１）
本考案の飛沫防止パーティション１は、ラップフィルムＡによって遮蔽面Ｘを構成可能なパーティションである。
飛沫防止パーティション１は、長尺状の基台１０と、基台１０から上方に立設する２本のポール２０と、２本のポール２０の上部を連結する上枠３０と、を少なくとも備える。
飛沫防止パーティション１は、基台１０の収納空間１１ａ内にラップフィルムＡを配置し、ラップフィルムＡの延出端Ａ２を上枠３０に固定することで、基台１０と上枠３０の間にラップフィルムＡからなる遮蔽面Ｘを構成することができる。
【００１８】
＜１．１＞ラップフィルム
本考案の飛沫防止パーティション１は、遮蔽面Ｘとして引き出して更新可能なロール状のラップフィルムＡを用いる点に１つの特徴を有する。
ラップフィルムＡとして、市販の食品用ラップフィルムを採用することができる。具体的には例えば、商品名「サランラップ（登録商標）」（原料：ポリ塩化ビニリデン（ＰＶＤＣ）／厚み：１０μｍ／旭化成ホームプロダクツ株式会社製）を採用することができる。
但しラップフィルムＡは上記に限らず、業務用及び家庭用の各種製品を採用できるし、例えば原料は、ポリ塩化ビニル（ＰＶＣ）、ポリエチレン（ＰＥ）、ポリメチルペンテン（ＰＭＰ）等であってもよい。
【００１９】
＜２＞基台（図２）
基台１０は、内部にラップフィルムＡのロール体Ａ１を収納する部材である。
本例では基台１０として、収納ケース１１と、収納ケース１１の開口を覆うケース蓋１２と、転倒防止用の支持部１３と、の組合せを採用する。
収納ケース１１は、開口を有する長尺状の函体であって、内部にラップフィルムＡのロール体Ａ１を収納する収納空間１１ａを備える。
ケース蓋１２は、収納ケース１１に対して開閉可能に接続し、収納ケース１１の開口を覆うことができる。
支持部１３は、収納ケース１１の長手方向両側において、収納ケース１１の長手方向と直交する前後方向に延出し、飛沫防止パーティション１の前後方向への転倒を防ぐ。
但し基台１０の構造は上記に限られず、要は内部に収納空間１１ａを備え、かつ上部にポール２０を立設して支持できる構造であればよい。
【００２０】
＜３＞ポール（図３）
ポール２０は、上枠３０を基台１０上に支持する部材である。
ポール２０の本数は２本であり、基台１０の長手方向両側から上方に立設する。
本例ではポール２０として、４本の分割ポール２１からなるテレスコピック構造を採用し、収納ケース１１の上面に設ける。
本例の場合、伸縮自在のテレスコピック構造により、飛沫防止パーティション１の不使用時、ポール２０を折り畳んでコンパクトに保管することができる。
なお、ポール２０の構造は上記に限られず、例えばテレスコピック構造ではない１本ものであってもよい。また、テレスコピック構造の場合、分割ポール２１の組合せ本数を４本ではなく、２本、３本、又は５本以上の組合せとしてもよい。
【００２１】
＜４＞上枠（図４）
上枠３０は、ラップフィルムＡの延出端Ａ２を固定する部材である。
本例では上枠３０として、長尺状の受け台３１と長尺状の固定竿３２の組合せを採用する。
受け台３１は、断面略Ｕ形の受け溝３１ａを有するチャンネル材であって、底面で２本のポール２０の上部と連結する。
固定竿３２は、受け台３１と略同じ長さの四角柱であって、受け台３１の受け溝３１ａ内に嵌合することができる。
以上の構造より、受け台３１上にラップフィルムＡの延出端Ａ２を配置し、延出端Ａ２越しに受け溝３１ａ内に固定竿３２を嵌め込むことで、受け台３１と固定竿３２で延出端Ａ２を挟み込んで固定することができる。
但し上枠３０の構造は上記に限られず、例えばポール２０間に接続した棒状体にラップフィルムＡをダブルクリップで固定する構成等であってもよい。要はラップフィルムＡの延出端Ａ２を固定可能な構造であればよい。
【００２２】
＜５＞フィルムカッタ（図５）
フィルムカッタ４０は、ラップフィルムＡを切断する部材である。
本例ではフィルムカッタ４０として、上枠３０の受け台３１の長手方向に沿って付設した鋸刃状の金属刃を採用する。
遮蔽面Ｘの更新時、ラップフィルムＡの延出端Ａ２側を掴んで上枠３０越しに使用済み部分まで引き出し、フィルムカッタ４０に押し当てることで、ラップフィルムＡの使用済み部分を容易に切断することができる。
但しフィルムカッタ４０の構造は上記に限られず、例えば基台１０の収納ケース１１の開口又はケース蓋１２に沿って設けてもよい。
なお、フィルムカッタ４０は飛沫防止パーティション１の必須の構成要素ではなく、フィルムカッタ４０を設置しないこともできる。
【００２３】
＜６＞使用方法（図６）
本考案の飛沫防止パーティション１は、主にテーブル又はデスク上に設置し、対面する席との間を遮蔽面Ｘで遮蔽する。または、隣り合う席の間を遮蔽面Ｘで遮蔽する。
飛沫防止パーティション１を飲食店に設置する場合、客の退店後、従業員がテーブルの清掃作業などと併せて、上枠３０から延出端Ａ２を引き出し、ラップフィルムＡの使用済み部分を切り取ることで、容易に遮蔽面Ｘを更新することができる。
なお遮蔽面Ｘの更新を繰り返してラップフィルムＡが無くなったら、基台１０のケース蓋１２を開いて収納空間１１ａ内にラップフィルムＡのロール体Ａ１を配置することで、ラップフィルムＡを容易に補充することができる。
【実施例２】
【００２４】
[受け台と固定竿が磁着可能な実施例]
本例では、受け台３１及び／又は固定竿３２が磁性部材を備え、受け台３１と固定竿３２を磁着可能な構成とする。
例えば受け台３１を金属製とし、固定竿３２の底面に長手方向に沿って磁性部材を付設する。
これによって、受け台３１と固定竿３２でラップフィルムＡの延出端Ａ２を挟むことで、固定竿３２が受け台３１に磁着するため、延出端Ａ２を上枠３０に確実に固定することができる。
この他、本例では、固定竿３２を金属製として受け台３１に磁性部材を付設してもよいし、受け台３１と固定竿３２の双方に磁性部材を付設してもよい。
【符号の説明】
【００２５】
１  飛沫防止パーティション
１０  基台
１１  収納ケース
１１ａ  収納空間
１２  ケース蓋
１３  支持脚
２０  ポール
２１  分割ポール
３０  上枠
３１  受け台
３１ａ  受け溝
３２  固定竿
３３  磁性部材
４０  フィルムカッタ
Ａ  ラップフィルム
Ａ１  ロール体
Ａ２  延出端
Ｘ  遮蔽面
【図１】
0003232846.tif 000003
【図２】
0003232846.tif 000004
【図３】
0003232846.tif 000005
【図４】
0003232846.tif 000006
【図５】
0003232846.tif 000007
【図６】
0003232846.tif 000008